(57)【要約】【課題】挿入部の外周面に形成した係合部にバルーンの端部を係合させながら、係合部に押さえ環を嵌め込むことによって、バルーンを簡単に固定する内視鏡装置用バルーンの装着方法及び内視鏡装置を提供する。【解決手段】挿入部１２の外周面には係合部１００が円周方向に形成され、この係合部１００に押さえ環１１０が嵌め込まれる。バルーン４２の装着作業は、まず、バルーン４２の端部を係合部１００に係合させ、その状態で押さえ環１１０を係合部１００に嵌め込んで固定する。これにより、バルーン４２の端部が係合部１００と押さえ環１１０とで挟持されて固定される。【選択図】      図３
2005211433.tif 000002
【特許請求の範囲】
【請求項１】
内視鏡の挿入部にバルーンを装着する内視鏡装置用バルーンの装着方法において、
前記バルーンの端部を、前記挿入部の外周面に円周方向に形成された係合部に係合させ、
該係合部に押さえ環を嵌合することによって、前記係合部と前記押さえ環とで前記バルーンの端部を挟持することを特徴とする内視鏡装置用バルーンの装着方法。
【請求項２】
前記バルーンの一方の端部を前記係合部と前記押さえ環とで挟持した後、前記バルーンを裏返して、前記バルーンの他方の端部を別の係合部と押さえ環とで挟持することを特徴とする請求項１に記載の内視鏡装置用バルーンの装着方法。
【請求項３】
内視鏡の挿入部にバルーンが装着される内視鏡装置において、
前記挿入部の外周面に円周方向に形成され、前記バルーンの端部が係合される係合部と、
前記係合部に嵌合され、前記バルーンの端部を前記係合部との間に挟持する押さえ環と、
を備えたことを特徴とする内視鏡装置。
【発明の詳細な説明】
【技術分野】
【０００１】
本発明は内視鏡装置用バルーンの装着方法及び内視鏡装置に係り、特に略筒状に形成されたバルーンを内視鏡の挿入部に装着する装着方法及び内視鏡装置に関する。
【背景技術】
【０００２】
従来より、体腔内に挿入される挿入部に膨出自在なバルーンを装着した内視鏡が使用されている。この内視鏡は、挿入部を体腔内の管腔内に挿入してバルーンを膨張させることによって、挿入部を所望の位置に静止させることができる。よって、観察視野を確保したり、処置具類による処置を確実に行うことができる。
【０００３】
挿入部に装着されるバルーンは略筒状に形成されている。このバルーンに挿入部を挿通させ、バルーンの両端部に糸を巻回することによってバルーンが挿入部に固定される。特許文献１には、バルーンを筒体の内周面に吸着することによってバルーンの内径を拡げ、挿入部を挿通させる方法が記載されている。したがって、特許文献１によれば、挿入部をバルーンに容易に挿通させることができる。
【特許文献１】特開平５−１５４８７号公報
【発明の開示】
【発明が解決しようとする課題】
【０００４】
しかしながら、特許文献１は、バルーンを挿入部に挿通させた後、バルーンの両端部に糸を巻回して固定する作業に手間がかかるという問題があった。
【０００５】
本発明はこのような事情に鑑みてなされたもので、バルーンを簡単に固定することのできる内視鏡装置用バルーンの装着方法及び内視鏡装置を提供することを目的とする。
【課題を解決するための手段】
【０００６】
請求項１に記載の発明は前記目的を達成するために、内視鏡の挿入部にバルーンを装着する内視鏡装置用バルーンの装着方法において、前記バルーンの端部を、前記挿入部の外周面に円周方向に形成された係合部に係合させ、該係合部に押さえ環を嵌合することによって、前記係合部と前記押さえ環とで前記バルーンの端部を挟持することを特徴としている。
【０００７】
請求項１に記載の発明によれば、バルーンの端部を係合部に係合させ、その係合部に押さえ環を嵌合させることによって、バルーンの端部を係合部と押さえ環とで挟持することができる。よって、バルーンの端部を容易に固定することができる。
【０００８】
請求項２に記載の発明は請求項１の発明において、前記バルーンの一方の端部を前記係合部と前記押さえ環とで挟持した後、前記バルーンを裏返して、前記バルーンの他方の端部を別の係合部と押さえ環とで挟持することを特徴としている。
【０００９】
請求項２に記載の発明によれば、バルーンを裏返すようにしたので、バルーンに挿入部を挿通させる手間が不要になり、バルーンの装着作業を迅速に行うことができる。
【００１０】
請求項３に記載の発明は前記目的を達成するために、内視鏡の挿入部にバルーンが装着される内視鏡装置において、前記挿入部の外周面に円周方向に形成され、前記バルーンの端部が係合される係合部と、前記係合部に嵌合され、前記バルーンの端部を前記係合部との間に挟持する押さえ環と、を備えたことを特徴としている。
【００１１】
請求項３に記載の発明によれば、バルーンの端部を係合部に係合させ、その係合部に押さえ環を嵌合させることによって、バルーンの端部を係合部と押さえ環とで挟持することができる。よって、バルーンの端部を容易に固定することができる。
【発明の効果】
【００１２】
本発明に係る内視鏡装置用バルーンの装着方法および内視鏡装置によれば、バルーンの端部を係合部と押さえ環とで挟持するようにしたので、バルーンの端部を容易に挿入部に固定することができる。
【発明を実施するための最良の形態】
【００１３】
以下、添付図面に従って本発明に係る内視鏡装置用バルーンの装着方法及び内視鏡装置の好ましい実施形態について説明する。
【００１４】
図１は、内視鏡装置の実施形態を示すシステム構成図である。図１に示すように内視鏡装置は主として、内視鏡１０、光源装置２０、プロセッサ３０、及びバルーン制御装置６６で構成される。
【００１５】
内視鏡１０は、体腔内に挿入される挿入部１２と、この挿入部１２に連設される手元操作部１４とを備え、手元操作部１４には、ユニバーサルケーブル１６が接続される。ユニバーサルケーブル１６の先端にはＬＧコネクタ１８が設けられ、このＬＧコネクタ１８が光源装置２０に連結される。また、ＬＧコネクタ１８にはケーブル２２を介して電気コネクタ２４が接続され、この電気コネクタ２４がプロセッサ３０に連結される。なお、ＬＧコネクタ１８には、エアや水を供給する送気・送水チューブ２６や、エアを吸引する吸引チューブ２８が接続される。
【００１６】
手元操作部１４には、送気・送水ボタン３２、吸引ボタン３４、シャッターボタン３６が並設されるとともに、一対のアングルノブ３８、３８、及び鉗子挿入部４０が設けられる。さらに、手元操作部１４の基端部には、後述するバルーン４２に流体を供給したり、バルーン４２から流体を吸引したりするための供給・吸引口４４が設けられる。以下、流体としてエアを用いた例で説明するが、他の流体、例えば不活性ガスや水を用いてもよい。
【００１７】
挿入部１２は、先端部４６、湾曲部４８、及び軟性部５０で構成され、湾曲部４８は、手元操作部１４に設けられた一対のアングルノブ３８、３８を回動することによって遠隔的に湾曲操作される。これにより、先端部４６の先端面４７を所望の方向に向けることができる。
【００１８】
図２に示すように、先端部４６の先端面４７には、観察光学系５２、照明光学系５４、５４、送気・送水ノズル５６、鉗子口５８等が設けられる。観察光学系５２の後方にはＣＣＤ（不図示）が配設されており、このＣＣＤを支持する基板には信号ケーブルが接続されている。信号ケーブルは図１の挿入部１２、手元操作部１４、ユニバーサルケーブル１６に挿通されて電気コネクタ２４まで延設され、プロセッサ３０に接続されている。したがって、観察光学系５２で取り込まれた観察像は、ＣＣＤの受光面に結像されて電気信号に変換され、そして、この電気信号が信号ケーブルを介してプロセッサ３０に出力され、映像信号に変換される。これにより、プロセッサ３０に接続されたモニタ６０に観察画像が表示される。
【００１９】
図２の照明光学系５４、５４の後方にはライトガイド（不図示）の出射端が配設されている。このライトガイドは、図１の挿入部１２、手元操作部１４、ユニバーサルケーブル１６に挿通され、入射端がＬＧコネクタ１８に配設されている。これにより、光源装置２０から照射された照明光がライトガイドを介して照明光学系５４、５４に伝送され、照明光学系５４、５４から照射される。
【００２０】
送気・送水ノズル５６（図２参照）は、送気・送水ボタン３２によって操作されるバルブ（不図示）に連通され、さらに送気・送水チューブ２６に連通される。したがって、送気・送水ボタン３２を操作することによって、送気・送水ノズル５６からエアまたは水が観察光学系５２に向けて噴射される。
【００２１】
鉗子口５８（図２参照）は、鉗子挿入部４０に連通されるとともに、吸引ボタン３４によって操作されるバルブ（不図示）に連通され、さらに吸引チューブ２８に連通される。したがって、吸引ボタン３４を操作することによって、鉗子口５８から病変部等が吸引され、鉗子挿入部４０から処置具を挿入することによって、この処置具が鉗子口５８から導出される。
【００２２】
図２に示すように、挿入部１２の外周面には、ゴム等の弾性体から成るバルーン４２が装着される。バルーン４２は、両端部が絞られた略筒状に形成されており、挿入部１２を挿通させて所望の位置に配置した後に、バルーン４２の両端部を挿入部１２に固定することによって装着される。バルーン４２の端部の固定方法については後述する。
【００２３】
挿入部１２には、バルーン４２が取り付けられる範囲内に通気孔６２が形成されている。この通気孔６２は、図１の手元操作部１４の供給・吸引口４４に連通される。供給・吸引口４４にはチューブ６４が接続され、このチューブ６４がバルーン制御装置６６に接続される。バルーン制御装置６６は、チューブ６４を介してバルーン４２にエアを供給したり、エアを吸引したりするとともに、その際のエア圧を制御する装置であり、前面に設けられた操作ボタン６８によって操作される。なお、バルーン４２はエアを供給することによって略球状に膨張し、エアを吸引することによって挿入部１２の外表面に張り付くようになっている。
【００２４】
次に、バルーン４２の端部の固定方法について図３〜図５に従って説明する。図３〜図５は、バルーン４２の装着手順を示す説明図であり、バルーン４２、係合部１００、押さえ環１１０は断面が示されている。
【００２５】
これらの図に示すように、挿入部１２の外周面には一対の係合部１００、１００が設けられている。各係合部１００は突出して形成されており、円周方向に一周するように設けられている。また、係合部１００は、もう一方の係合部１００に対して反対側の側面が、挿入部１２の軸を中心とした円錐状に切り欠かれており、傾斜面１０２が形成されている。さらに、傾斜面１０２には嵌合溝１０４が円周方向に一周するように形成されており、この嵌合溝１０４に押さえ環１１０の突起１１４が嵌合するようになっている。
【００２６】
押さえ環１１０は、挿入部１２に着脱自在に取り付けられる部材であり、例えば図６に示すようにＣ状に形成され、二点鎖線で示す如く弾性変形させることによって挿入部１２に外周面側から装着できるようになっている。なお、押さえ環１１０の形状はＣ状に限定するものではなく、Ｏ状に形成されたものに切り込みを入れてもよい。
【００２７】
また、押さえ環１１０は、図３に示すようにテーパ１１２を有し、このテーパ１１２は、係合部１００の傾斜面１０２と同じ角度で形成されている。テーパ１１２の先端には突起１１４が設けられており、この突起１１４が係合部１００の嵌合溝１０４に嵌め込まれる。これにより、押さえ環１１０が係合部１００に固定される。
【００２８】
次に上記の如く構成された係合部１００と押さえ環１１０とでバルーン４２の端部を固定する場合、まず、図３に示すように、二つの押さえ環１１０、１１０を挿入部１２に取り付ける。その際、各押さえ環１１０のテーパ１１２がそれぞれ係合部１００の傾斜面１０２を向くようにする。
【００２９】
次に、先端側の係合部１００に、バルーン４２の端部を係合させる。すなわち、係合部１００の傾斜面１０２にバルーン４２の先端を当接させる。そして、この状態のまま、図４に示すように、先端側の押さえ環１１０を係合部１００側にスライドさせ、押さえ環１１０の突起１１４を係合部１００の嵌合溝１０４に嵌め込む。これにより、押さえ環１１０が係合部１００に固定されるとともに、バルーン４２の端部が押さえ環１１０のテーパ１１２と係合部１００の傾斜面１０２とによって挟圧され固定される。よって、バルーン４２の端部が挿入部１２に固定される。
【００３０】
次に、固定されたバルーン４２の端部を基点として、バルーン４２を裏返す。これにより、図５に示すように、バルーン４２のもう一方の端部が基端側の係合部１００の位置に配置される。なお、バルーン４２に表裏がある場合には、予めバルーン４２を裏返しておき、このバルーン４２を先端側の係合部１００と押さえ環１１０とによって固定した後に、バルーン４２を裏返すことによって元の状態に戻すとよい。
【００３１】
次にバルーン４２の基端側の端部を内側に折り返して、係合部１００の傾斜面１０２に係合させる。そして、基端側の押さえ環１１０を係合部１００側（すなわち、挿入部１２の先端側）にスライドさせ、押さえ環１１０の突起１１４を係合部１００の嵌合溝１０４に嵌め込む。これにより、押さえ環１１０が係合部１００に固定され、バルーン４２の端部が押さえ環１１０のテーパ１１２と係合部１００の傾斜面１０２とによって挟圧されて固定される。よって、バルーン４２の両方の端部が挿入部１２に固定される。
【００３２】
このように本実施の形態によれば、押さえ環１１０を挿入部１２に沿ってスライドさせて係合部１００に嵌合させるだけで、バルーン４２の端部を固定することができる。よって、バルーン４２の装着作業を容易に行うことができる。
【００３３】
また、本実施の形態によれば、バルーン４２の端部が折り返された状態で装着されるので、バルーン４２を強固に固定することができる。すなわち、端部を折り返さずに固定した場合よりも強固に固定することができる。
【００３４】
なお、上述した実施の形態は、バルーン４２の一方の端部を固定した後にバルーン４２を裏返して固定するようにしたが、図７に示すように、バルーン４２を予め丸めた状態にしておくと、バルーン４２の丸みを解くだけで、バルーン４２を挿入部１２に被せることができ、バルーン４２の装着作業を容易に行うことができる。
【００３５】
また、上述した実施の形態は、バルーン４２の端部を折り返した状態で固定したが、これに限定するものではなく、例えば図８に示すようにバルーン４２の端部を折り返さずに固定するようにしてもよい。図８に示す係合部１２０にはテーパ１２２と突起１２４が設けられている。一方、図８の押さえ環１３０には、前記テーパ１２２に対応する形状の傾斜面１３２と、前記突起１２４が嵌合する嵌合溝１３４が形成されている。したがって、係合部１２０の突起１２４を押さえ環１３０の嵌合溝１３４に嵌合させることによって、係合部１２０のテーパ１２２と押さえ環１３０の傾斜面１３２とでバルーン４２の端部を挟圧して固定することができる。
【００３６】
また、上述した実施の形態は、係合部１００、１２０を挿入部１２と別部材として説明したが、挿入部１２の外皮部材と同材料によって一体的に形成してもよい。
【００３７】
さらに、上述した実施の形態は、係合部１００、１２０を挿入部１２の外周面に突出形成したが、これに限定するものではなく、例えば図９に示すように、挿入部１２の外周面に溝１４０を形成することによって、挿入部１２に傾斜面１４２と嵌合溝１４４を形成してもよい。この場合、挿入部１２の溝１４０に押さえ環１１０を取り付けるようにすると、挿入部１２の外周面に突出部分がなくなり、挿入部１２の体腔内への挿入を容易に行うことができる。
【００３８】
また、図４〜図７に示した係合部１００及び押さえ環１１０の外周縁部、図８に示した係合部１２０及び押さえ環１３０の外周縁部は、円弧状の面取り部が形成されて滑らかになっており、体腔内への挿入に支障のないようになっている。
【００３９】
なお、本発明は、バルーン４２を内視鏡１０の挿入部１２に装着する場合だけでなく、挿入部１２の挿入を補助する挿入補助具（いわゆるオーバーチューブ、スライディングチューブ等とよばれるもの）やプローブにバルーンを装着する場合にも適用することができる。
【図面の簡単な説明】
【００４０】
【図１】本発明に係る内視鏡装置を示すシステム構成図
【図２】図１の挿入部の先端部分を示す斜視図
【図３】本発明に係る内視鏡装置用バルーンの装着方法を説明する説明図
【図４】本発明に係る内視鏡装置用バルーンの装着方法を説明する説明図
【図５】本発明に係る内視鏡装置用バルーンの装着方法を説明する説明図
【図６】押さえ環の正面図
【図７】バルーンの装着方法の別実施例を示す説明図
【図８】バルーンの装着方法の別実施例を示す説明図
【図９】係合部の別形状を示す説明図
【符号の説明】
【００４１】
１０…内視鏡、１２…挿入部、１４…手元操作部、４２…バルーン、４６…先端部、４８…湾曲部、６６…バルーン制御装置、１００…係合部、１０２…傾斜面、１０４、１３４…嵌合溝、１１０…押さえ環、１１２…テーパ、１１４、１２４…突起
【図１】
2005211433.tif 000003
【図２】
2005211433.tif 000004
【図３】
2005211433.tif 000005
【図４】
2005211433.tif 000006
【図５】
2005211433.tif 000007
【図６】
2005211433.tif 000008
【図７】
2005211433.tif 000009
【図８】
2005211433.tif 000010
【図９】
2005211433.tif 000011